(57)【特許請求の範囲】
【請求項１】
画像を構成する各部品を表わした、各部品の色が各所定の色空間で表現された部品データの集合によって該画像を表した入力画像データを取得する画像取得部と、
前記画像取得部で取得された入力画像データを構成する部品データのうち、所定の第１種の色空間で色を表現した部品データを、画素の配列で部品を表現するとともに該第１種の色空間で各画素の色を表現した第１種データに変換し、該入力画像データを構成する部品データのうち、該第１種の色空間で色が表現された部品データを除く他の部品データについては、画素の配列で部品を表現するとともにデバイスに非依存の共通色空間で各画素の色を表現した第２種データに変換するデータ形式変換部と、
前記第１種データには該第１種データ用の色変換処理を施し、前記第２種データには該第２種データ用の色変換処理を施して、それら第１種データおよび第２種データを、前記出力デバイスに依存した出力色空間で画素の色が表現された出力データに変換する色変換部とを備えたことを特徴とする色変換システム。
【請求項２】
前記色変換部は、前記入力画像データが変換されて得られる画像データに従って所定のターゲットデバイスが出力する画像の色が前記出力デバイスで再現されるように、前記第１種データ用の色変換処理および前記第２種データ用の色変換処理で、前記第１種データおよび前記第２種データが表す色を、前記ターゲットデバイスにおける色再現領域内の色に変換するガマットマッピングを行うものであることを特徴とする請求項１記載の色変換システム。
【請求項３】
前記第１種の色空間が、複数の色版それぞれに対応する座標成分を有する色空間であり、
前記出力色空間が、前記複数の色版に対して少なくとも一部が共通した複数の色版それぞれに対応する座標成分を有する色空間であり、
前記色変換部が、前記第１種データ用の色変換処理で、前記第１種の色空間における特定の座標成分値を前記出力空間での座標成分値としてそのまま用いる色版保存処理を行うものであることを特徴とする請求項１記載の色変換システム。
【請求項４】
前記第１種の色空間が、複数の色版それぞれに対応する座標成分を有する色空間であり、
前記出力色空間が、前記複数の色版に対して少なくとも一部が共通した複数の色版それぞれに対応する座標成分を有する色空間であり、
前記色変換部が、前記第１種データ用の色変換処理で、前記第１種データが表す色が前記第１種の色空間における特定の座標成分値を含んでいるか否かを表すフラグの生成と、その第１種データから、画素の配列で部品を表現するとともに前記共通色空間で各画素の色を表現した第３種データへの変換と、その第３種データから前記出力データへの変換と、その出力データに対する、前記フラグに基づいた、前記特定の座標成分値を前記出力色空間での座標成分値としてそのまま用いる色版保存処理とを行うものであることを特徴とする請求項１記載の色変換システム。
【発明の詳細な説明】
【技術分野】
【０００１】
本発明は、入力画像データを、画像を出力する出力デバイスに依存した出力色空間で画素の色が表現された出力画像データに変換する色変換システムに関する。
【背景技術】
【０００２】
印刷の分野においては、コンピュータを利用して編集の作業を行うＤＴＰ（ＤｅｓｋＴｏｐ  Ｐｕｂｌｉｓｈｉｎｇ）が広範に適用されてきている。ＤＴＰが適用されることによって、オペレータは、コンピュータの表示画面上で、印刷物のイメージを確認しながら文字や画像の編集を行うことができる。
【０００３】
また、カラー印刷機を用いた印刷は、フィルム原版を作成し、さらに刷版を作成するなど大がかりなうえコストがかかる作業である。したがって、従来より、印刷を行う前には、カラー印刷機に比べて手軽なプルーファを用いて、そのカラー印刷機で印刷されるカラー画像の色と極力同じ色に似せたプルーフ画像を作成することが行われている。プルーフ画像を作成することによって、編集作業を行うオペレータだけではなく、印刷作業を行うオペレータなども、印刷前に印刷画像の色やレイアウトを確認することができ、印刷作業にかかる手間やコストを大幅に抑えることができる。
【０００４】
ところで、通常、カラー印刷機は、Ｃ（シアン）、Ｍ（マゼンタ）、Ｙ（イエロー）、Ｋ（黒）の色材を使って画像を形成するものが多く、このようなカラー印刷機では、ＣＭＹＫ色空間の出力画像データに基づいて画像が出力される。近年では、プルーフ画像を出力するプルーファなどでも、カラー印刷機と同様にＣＭＹＫの色材を使って色を表現するものが利用されてきているが、同じＣＭＹＫ色空間上の同じ値の画像データであっても、装置の種類や機差などによって表現される色が微妙に異なることがある。したがって、プルーファで印刷画像を再現しようとしたとき、カラー印刷機用の画像データをそのままプルーファに送るのではなく、プルーファの前段で画像データを変換する必要がある。ここでは、画像の色に着目しており、この画像データの変換を色変換と称する。
【０００５】
以下では、カラー印刷機用の画像データに色変換処理を施し、プルーファでプルーフ画像を出力する一連の処理の流れについて説明する。尚、ここでは、カラー印刷機用のＣＭＹＫ色空間の画像データに基づいてＣＭＹＫ各色の印刷用フィルム版を生成するＣＴＰ（Ｃｏｍｐｕｔｅｒ  Ｔｏ  Ｐｌａｔｅ）と、プルーファ用のＣＭＹＫ色空間（カラー印刷機用の色空間と区別するため、以下では、プルーファ用の色空間には「´」を付してＣ´Ｍ´Ｙ´Ｋ´色空間等と称する）の画像データに基づいてプルーフ画像を生成するプルーファとで構成された画像出力システムを例に挙げて説明する。
【０００６】
図１は、画像出力システムの一例を示す図である。
【０００７】
図１のパート（Ａ）には、第１の画像出力システム１の構成図が示されている。
【０００８】
ＤＴＰにおいては、オペレータがコンピュータを使って文字や画像で構成されたページを編集すると、その編集されたページのイメージを表わす入力画像データ１０００が生成される。この入力画像データ１０００は、ページのイメージが、そのページを構成する文字や画像といった部品集合で表現されたものであり、各部品を表わす部品データの集合で構成されている。このような入力画像データ１０００を構成する部品データには、例えば、スキャナで読み取られた画像を表わす、スキャナに依存したＲＧＢ色空間で色が表現された部品データや、オペレータがパーソナルコンピュータを使って描いたグラフィック画像を表わす、ＣＭＹＫ色空間で色が表現された部品データなど、様々な入力色空間の部品データが混在している。オペレータの編集によって生成された入力画像データ１０００は、色分解装置１１１０に送られる。
【０００９】
色分解装置１１１０では、入力画像データ１０００に含まれる様々な入力色空間の部品データがＣＴＰ１１７０に依存したＣＭＹＫ色空間の部品データに変換され、それらＣＭＹＫ色空間の部品データの集合体である印刷画像データが生成される。生成された印刷画像データは、ＣＴＰ１１７０に向けて出力されるのに先立って、まずはプルーファ１１８０，１１９０用の色変換装置１１４０に送られる。
【００１０】
色変換装置１１４０では、印刷画像データに含まれるＣＭＹＫ色空間の部品データそれぞれに色変換処理が施されてプルーファ１１８０，１１９０に適したＣ´Ｍ´Ｙ´Ｋ´色空間の部品データに変換され、それらＣ´Ｍ´Ｙ´Ｋ´色空間の部品データが含まれたプルーフ画像データが生成される。生成されたプルーフ画像データは、プルーファ１１８０，１１９０用のＲＩＰ（Ｒａｓｔｅｒ  Ｉｍａｇｅ  Ｐｒｏｃｅｓｓｏｒ）装置１１５０に送られる。
【００１１】
プルーファ１１８０，１１９０は、ページのイメージを出力するにあたり、ページを走査する走査線ごとに出力するものであり、上述した印刷画像データやプルーフ画像データは、ページを構成する各部品を表わす部品データで構成されているため、このままでは印刷機やプルーファ１１８０，１１９０では出力することができない。したがって、ＲＩＰ装置１１５０では、プルーフ画像データにラスタライズ化処理が施されてプルーファ１１８０，１１９０に適したラスタ形式のプルーフ画像データに変換される。変換後のプルーフ画像データは、階調プルーファ１１９０に送られて、階調プルーファ１１９０で色濃度が色材の濃さそのもので表現されたプルーフ画像が出力されたり、網掛装置１１６０に送られて網掛処理が施され、網点プルーファ１１８０で色濃度が網点で表現されたプルーフ画像が生成される。
【００１２】
以上のようにして生成されたプルーフ画像を使って、オペレータが印刷画像の色やレイアウトなどを確認し、コンピュータを使って印刷を指示すると、色分解装置１１１０で生成された印刷画像データが、ＣＴＰ１１７０用のＲＩＰ装置１１２０に送られる。
【００１３】
ＲＩＰ装置１１２０では、印刷画像データにラスタライズ化処理が施され、網掛装置１１３０では、ラスタライズ化処理が施された印刷画像データに網掛処理が施される。網掛処理後の印刷画像データは、ＣＴＰ１１７０に送られて、Ｃ，Ｍ，Ｙ，Ｋ４色の印刷用フィルム版が生成される。４色の印刷用フィルム版は印刷機に装着されて各色のインクが塗布され、その塗布されたインクが印刷用の用紙上に転移されて印刷画像が生成される。
【００１４】
図１のパート（Ａ）に示す第１の画像出力システム１では、印刷用の画像データをプルーファ用の画像データに変換する色変換装置１１４０がＲＩＰ装置１１５０よりも前段に設けられているが、色変換装置がＲＩＰ装置の後段に設けられた画像出力システムも広く用いられている。
【００１５】
図１のパート（Ｂ）には、第２の画像出力システム２の構成図が示されている。
【００１６】
第２の画像出力システム２では、オペレータの編集によって生成された入力画像データ１０００が、色分解装置１１１０でＣＭＹＫ色空間の印刷画像データに変換された後、ＣＴＰ１１７０およびプルーファ１１８０，１１９０に共通のＲＩＰ装置１１２０でラスタ形式の印刷画像データに変換される。
【００１７】
ラスタ形式の印刷画像データは、印刷に先立って色変換装置１１４０に伝えられ、色変換装置１１４０で色変換処理が施された後、階調プルーファ１１９０に送られたり、網掛装置１１６０で網掛処理が施された後で網点プルーファ１１８０に送られる。
【００１８】
オペレータによって印刷が指示されたときには、ＲＩＰ装置１１２０で生成されたラスタ形式の印刷画像データがそのままＣＴＰ１１７０用の網掛装置１１３０に伝えられ、網掛処理が施された印刷画像データがＣＴＰ１１７０に伝えられて、ＣＴＰ１１７０でＣＭＹＫ各色の印刷用フィルム版が生成される。
【００１９】
図１のパート（Ａ）に示す第１の画像出力システム１では、印刷画像のイメージに対してページを構成する部品ごとに色変換処理が施されるのに対して、図１のパート（Ｂ）に示す第２の画像出力システム２では、印刷画像のイメージに対して走査線ごとに色変換処理が施されるため、第１の画像出力システム１と比較して処理時間を要してしまう。しかし、図１のパート（Ｂ）に示す第２の画像出力システム２によると、ラスタライズ処理後の印刷画像データに対して色変換処理が施されるため、図１のパート（Ａ）に示す第１の画像出力システム１と比べて、印刷画像の色をより精度良く再現したプルーフ画像を得ることができる。
【００２０】
また、近年では、カラー印刷機で表現することができる色再現領域を広げるために、Ｃ，Ｍ，Ｙ，Ｋ４色の色材に加えて、Ｇ（グリーン）やＯ（オレンジ）などといった色材を使って色を表現する多色のカラー印刷機が用いられてきており、その多色のカラー印刷機で印刷される印刷画像の色を精度良く再現する画像出力システムが提案されてきている（例えば、特許文献１、特許文献２、特許文献３、および特許文献４参照）。カラー印刷機で使用される色材の多色化に伴って、プルーファにおける色再現の精度がさらに重要視されてきているため、以下では、図１のパート（Ｂ）に示す画像出力システム２を使って多色の色変換処理を行う方法について説明する。
【００２１】
図２は、図１のパート（Ｂ）に示す画像出力システム２を使って多色の色変換処理を行う一連の処理を説明するための図である。
【００２２】
図１のパート（Ｂ）に示すように、オペレータによって編集された入力画像データ１０００は、色分解装置１１１０で、多色のカラー印刷機に依存したＣＭＹＫＯＧ色空間の印刷画像データに変換された後、図２に示すＲＩＰ装置１１２０でラスタ形式の印刷画像データに変換される。ラスタ形式の印刷画像データは、色変換装置１１４０に送られて、ＣＭＹＫＯＧ色空間の印刷画像データがＣＭＹＫＯＧ／Ｌ＊ａ＊ｂ＊変換部１１４１に伝えられ、ＣＭＹＫＯＧ色空間の印刷画像データのうちのＫ成分がＬ＊ａ＊ｂ＊Ｋ／Ｃ´Ｍ´Ｙ´Ｋ´Ｏ´Ｇ´変換部１１４３に伝えられ、ＣＭＹＫＯＧ色空間の印刷画像データのうちのＣＭＹ成分が純色保存部１１４４に伝えられる。
【００２３】
ＣＭＹＫＯＧ／Ｌ＊ａ＊ｂ＊変換部１１４１では、ＣＭＹＫＯＧ色空間の画像データがデバイスに非依存な共通色空間であるＬ＊ａ＊ｂ＊色空間の画像データに変換され、変換後の画像データがマッピング部１１４２に伝えられる。
【００２４】
マッピング部１１４２では、Ｌ＊ａ＊ｂ＊色空間の画像データが表わす色を、プルーファの色再現領域内の色に変換する。変換後の画像データは、Ｌ＊ａ＊ｂ＊Ｋ／Ｃ´Ｍ´Ｙ´Ｋ´Ｏ´Ｇ´変換部１１４３に伝えられる。
【００２５】
Ｌ＊ａ＊ｂ＊Ｋ／Ｃ´Ｍ´Ｙ´Ｋ´Ｏ´Ｇ´変換部１１４３では、Ｌ＊ａ＊ｂ＊色空間の画像データがＣ´Ｍ´Ｙ´Ｋ´Ｏ´Ｇ´色空間の画像データに変換されて、さらに、そのＣ´Ｍ´Ｙ´Ｋ´Ｏ´Ｇ´色空間の画像データのＫ成分が、ＲＩＰ装置１１２０から送られてきたＣＭＹＫＯＧ色空間の印刷画像データのうちのＫ成分に置き換えられる（Ｋ版保存処理）。Ｃ´Ｍ´Ｙ´Ｋ´Ｏ´Ｇ´色空間の画像データは、さらに純色保存部１１４４に伝えられる。
【００２６】
純色保存部１１４４では、ＲＩＰ装置１１２０から送られてきたＣＭＹＫＯＧ色空間の印刷画像データのＣＭＹ色成分が表わす色が純色である場合に、その画像データに対応するＣ´Ｍ´Ｙ´Ｋ´Ｏ´Ｇ´色空間の画像データのＣＭＹ成分が純色成分に置き換えられる（純色保存処理）。
【００２７】
この色変換装置１１４０においても、ＣＭＹＫＯＧ色空間の画像データとＬ＊ａ＊ｂ＊色空間の画像データとが対応付けられたＣＭＹＫＯＧ／Ｌ＊ａ＊ｂ＊ロファイル、およびＬ＊ａ＊ｂ＊色空間の画像データとＣ´Ｍ´Ｙ´Ｋ´Ｏ´Ｇ´色空間色空間の画像データとが対応付けられたＬ＊ａ＊ｂ＊／Ｃ´Ｍ´Ｙ´Ｋ´Ｏ´Ｇ´色空間プロファイルが予め記憶されており、ＣＭＹＫＯＧ／Ｌ＊ａ＊ｂ＊変換部１１４１、およびＬ＊ａ＊ｂ＊Ｋ／Ｃ´Ｍ´Ｙ´Ｋ´Ｏ´Ｇ´変換部１１４３では、それらのプロファイルを使って高速に画像データの変換が行われる。色変換装置１１４０で生成されたＣ´Ｍ´Ｙ´Ｋ´Ｏ´Ｇ´色空間の画像データは、図１のパート（Ｂ）に示す網点装置１１６０や、階調プルーファ１１９０に伝えられる。
【００２８】
以上のように、図１にも示す色分解装置１１１０や色変換装置１１４０などで利用される各種プロファイルを多色印刷用のプロファイルに変更することによって、図１のパート（Ｂ）に示す画像出力システム２を流用することができ、オペレータは、経験的な知識を必要とせず、多色のカラー印刷機で出力される印刷画像の色が精度良く再現されたプルーフ画像を容易に得ることができる。
【特許文献１】特開２００５−１２３７９７号公報
【特許文献２】特開２００１−５３９７６号公報
【特許文献３】特開２００１−３６７６０号公報
【特許文献４】特開平８−２７２０８１号公報
【発明の開示】
【発明が解決しようとする課題】
【００２９】
しかし、上述した技術によると、例えば、１色を３３階調の色濃度で表現する場合、図２のＣＭＹＫＯＧ／Ｌ＊ａ＊ｂ＊変換部１１４１で利用されるＣＭＹＫＯＧ／Ｌ＊ａ＊ｂ＊プロファイルのデータサイズは、３３６×３＝約３．９ＧＢにもなる。このような膨大なサイズのプロファイルを色変換装置１１４０に記憶しておくことは非現実的であり、画像出力システム２を多色印刷に流用しようとする場合には、１色を表現する色濃度の階調数を減少させる必要が生じ、色再現の精度が劣化してしまうという問題がある。
【００３０】
本発明は、上記事情に鑑み、多色の印刷機で印刷される印刷画像も高精度に再現することができる色変換システムを提供することを目的とする。
【課題を解決するための手段】
【００３１】
上記目的を達成する本発明の色変換システムは、画像を構成する各部品を表わした、各部品の色が各所定の色空間で表現された部品データの集合によって該画像を表した入力画像データを取得する画像取得部と、
画像取得部で取得された入力画像データを構成する部品データのうち、所定の第１種の色空間で色を表現した部品データを、画素の配列で部品を表現するとともに第１種の色空間で各画素の色を表現した第１種データに変換し、入力画像データを構成する部品データのうち、第１種の色空間で色が表現された部品データを除く他の部品データについては、画素の配列で部品を表現するとともにデバイスに非依存の共通色空間で各画素の色を表現した第２種データに変換するデータ形式変換部と、
第１種データには第１種データ用の色変換処理を施し、第２種データには第２種データ用の色変換処理を施して、それら第１種データおよび第２種データを、出力デバイスに依存した出力色空間で画素の色が表現された出力データに変換する色変換部とを備えたことを特徴とする。
【００３２】
また、本発明の色変換システムおいて、上記色変換部は、入力画像データが変換されて得られる画像データに従って所定のターゲットデバイスが出力する画像の色が出力デバイスで再現されるように、第１種データ用の色変換処理および第２種データ用の色変換処理で、第１種データおよび第２種データが表す色を、ターゲットデバイスにおける色再現領域内の色に変換するガマットマッピングを行うものであることが好適である。
【００３３】
本発明の色変換システムによると、入力画像データを構成する部品データが、画素の配列で部品を表現する第１種データおよび第２種データに変換された後で、それら第１種データおよび第２種データそれぞれに合った色変換処理が実行されるため、入力画像データを所望の色を有する画像を表わす出力データに高精度に変換することができる。
【００３４】
また、本発明の好適な形態の色変換システムは、入力画像データに基づいてターゲットデバイスで出力されるターゲット画像を出力デバイスで再現するプルーフシステムに適用することができ、第１種データおよび第２種データをターゲットデバイスに依存したターゲット色空間の画像データに変換する過程を経ずに、第１種データおよび第２種データのままでガマットマッピングを行うことができる。その結果、図２に示すＣＭＹＫＯＧ／Ｌ＊ａ＊ｂ＊変換部１１４１で利用されていた多色色空間／共通色空間のプロファイルが不要となるため、色変換システムで記憶しなければならないプロファイルのデータ量が大幅に軽減され、色再現の精度を劣化させずに、多色で出力されるターゲット画像を再現することができる。
【００３５】
また、本発明の色変換システムにおいて、上記第１種の色空間が、複数の色版それぞれに対応する座標成分を有する色空間であり、
出力色空間が、複数の色版に対して少なくとも一部が共通した複数の色版それぞれに対応する座標成分を有する色空間であり、
色変換部が、第１種データ用の色変換処理で、第１種の色空間における特定の座標成分値を出力色空間でも維持する色版保存処理を行うものであることが好ましい。
【００３６】
色版保存処理が行われることによって、入力画像データが表わす画像中の、Ｋ色や純色などといった重要な色が、出力データが表わす画像中でも確実に維持される。
【００３７】
また、本発明の色変換システムにおいて、上記第１種の色空間が、複数の色版それぞれに対応する座標成分を有する色空間であり、
出力色空間が、複数の色版に対して少なくとも一部が共通した複数の色版それぞれに対応する座標成分を有する色空間であり、
色変換部が、第１種データ用の色変換処理で、第１種データが表す色が第１種の色空間における特定の座標成分値を含んでいるか否かを表すフラグの生成と、その第１種データから第２種データと共通な形式の第３種データへの変換と、その第３種データから出力データへの変換と、その出力データに対する、フラグに基づいた、特定の座標成分値を出力色空間でも維持する色版保存処理とを行うものであることが好ましい。
【００３８】
予め第１種データに基づいてフラグを生成しておくことによって、第２種データと、第１種データが変換された第３種データとを同一の処理で出力データに変換し、フラグを使って色版保存処理を実行することができ、所望の色を有する画像を効率よく取得することができる。
【発明の効果】
【００３９】
本発明によれば、多色の色材を使って印刷される印刷画像も高精度に再現することができる。
【発明を実施するための最良の形態】
【００４０】
以下、図面を参照して本発明の実施の形態を説明する。
【００４１】
図３は、本発明の一実施形態が組み込まれた画像出力システムの全体構成図である。
【００４２】
図３に示す画像出力システムは、主には、原稿画像を読み取るカラースキャナ１０、画像データに対して各種処理を施すワークステーション２０、Ｃ，Ｍ，Ｙ，Ｋ，Ｏ，Ｇ各色の印刷用フィルム版を作成するＣＴＰ３０、ＣＴＰ３０で作成された印刷用フィルム版を使って印刷画像を作成する印刷機４０、Ｃ，Ｍ，Ｙ，Ｋ，Ｏ，Ｇ各色の色材を使って画像を出力する２つのプルーファ５１，５２で構成されている。ＣＴＰ３０および印刷機４０は、本発明にいうターゲットデバイスの一例を構成しており、プルーファ５１，５２は、本発明にいう出力デバイスの一例に相当する。
【００４３】
カラースキャナ１０では、原稿画像が読み取られて、その原稿画像を表わすＲ、Ｇ，Ｂ３色の色分解画像データが生成される。このＲＧＢの色分解画像データはワークステーション２０に入力される。また、図示しないが、パーソナルコンピュータなどを使って作成されたＣ，Ｍ，Ｙ，Ｋ４色の色分解画像データや、デジタルカメラで被写体が撮影されて得られたＬ＊，ａ＊，ｂ＊３色の色分解画像データなどもワークステーション２０に入力される。このワークステーション２０は、接続ケーブルを介して色分解画像データを受け取るものであってもよく、ワークステーション２０とカラースキャナ１０とが離れた場所に設置されているときは、ワークステーション２０から、例えばコンピュータネットワークを介して、あるいは、ＭＯディスク（光磁気ディスク）などといった記憶媒体によって色分解画像データを受け取るものであってもよい。
【００４４】
ワークステーション２０は、機能的には、編集装置２１、ＲＩＰ装置２２、色変換装置２３、印刷用網掛装置２４、およびプルーファ用網掛装置２５で構成されている。
【００４５】
編集装置２１では、オペレータにより、入力された色分解画像データに基づく電子的な集版が行なわれ、印刷用の画像のページを表わすページ画像データが生成される。このページ画像データは、ページのイメージが、そのページを構成する文字や画像といった部品の集合で表現されたものであり、各部品を表わす部品データの集合で構成されている。このため、ページ画像データには、編集装置２１に入力された、カラースキャナ１０で原稿画像が読み取られて生成されたＲＧＢ色空間の部品データや、パーソナルコンピュータなどを使って作成されたＣ，Ｍ，Ｙ，Ｋ４色空間の部品データや、デジタルカメラで被写体が撮影されて得られたＬ＊，ａ＊，ｂ＊色空間の部品データなどが混在して含まれている。ページ画像データは、ＲＩＰ装置２２に送られる。
【００４６】
ＲＩＰ装置２２では、ページ画像データを構成する部品データそれぞれにラスタライズ化処理が施される。ラスタライズ化処理が施されたラスタ部品データは、色変換装置２３に伝えられる。
【００４７】
色変換装置２３では、各種入力色空間のラスタ部品データが、ＣＴＰ３０と印刷機４０とで構成されるターゲットデバイスに依存したターゲット色空間（ここでは、ＣＭＹＫＯＧ色空間）のラスタ部品データに変換され、それらターゲット色空間のラスタ部品データが合成されて印刷用画像データが生成される。生成された印刷用画像データは、印刷用網掛装置２４において網点画像を表す製版用の印刷画像データに変換され、さらにＣＴＰ３０に送られて、その製版用の印刷画像データに対応した、ＣＭＹＫＯＧの各版の印刷用フィルム版が作成される。作成された印刷用フィルム版は印刷機４０に装着されてインクが塗布され、その塗布されたインクが印刷用の用紙上に転移されてその用紙上に印刷画像４０ａが形成される。
【００４８】
ＣＴＰ３０により印刷用フィルム版を作成し、さらに印刷用フィルム版を印刷機４０に装着して用紙上に印刷を行なう一連の作業は、大がかりな作業である上、コストもかかる。このため、実際の印刷作業が行なわれる前に、プルーファ５１，５２によってプルーフ画像５１ａ，５２ａが作成され、印刷画像４０ａの仕上りの事前確認が行なわれる。
【００４９】
プルーフ画像５１ａ，５２ａの作成にあたっては、印刷の場合と同様に、編集装置２１で作成されたページ画像データに含まれる部品データが、ＲＩＰ装置２２においてラスタ形式のラスタ部品データに変換され、さらに、色変換装置２３においてプルーファ５１，５２に依存した出力色空間（ここでは、Ｃ´Ｍ´Ｙ´Ｋ´Ｏ´Ｇ色空間）のラスタ部品データに変換されて、それら出力色空間のラスタ部品データが合成されてプルーフ画像データが生成される。生成されたプルーフ画像データは、階調プルーファ５２に送られたり、プルーファ用網掛装置２５で網掛処理が施された後で網点プルーファ５１に送られる。網点プルーファ５１では、画像の色濃度が網点によって表現されたプルーフ画像５１ａが生成され、階調プルーファ５２では、画像の色濃度が色材の濃さそのもので表現されたプルーフ画像５２ａが生成される。
【００５０】
このようにして作成されたプルーフ画像５１ａ，５２ａを確認することにより、印刷の仕上りを事前に確認することができる。
【００５１】
ここで、図３に示す画像出力システムにおける本発明の一実施形態としての特徴は、ワークステーション２０で実行される処理内容にある。まずは、このワークステーション２０について詳しく説明する。
【００５２】
図４は、図３に示すワークステーション２０の外観斜視図、図５は、そのワークステーション２０のハードウェア構成図である。
【００５３】
ワークステーション２０は、大型のパーソナルコンピュータであり、図４に示すように、外観構成上、本体装置２０１、その本体装置２０１からの指示に応じて表示画面２０２ａ上に画像を表示する画像表示装置２０２、本体装置２０１に、キー操作に応じた各種の情報を入力するキーボード２０３、および、表示画面２０２ａ上の任意の位置を指定することにより、その位置に表示されたアイコン等に応じた指示を入力するマウス２０４を備えている。また、本体装置２０１は、外観上、フレキシブルディスク（以下では、ＦＤと省略する）を装填するためのＦＤ装填口２０１ａ、およびＣＤ−ＲＯＭを装填するためのＣＤ−ＲＯＭ装填口２０１ｂを有する。
【００５４】
本体装置２０１の内部には、図５に示すように、各種プログラムを実行するＣＰＵ２１１、ハードディスク装置２１３に格納されたプログラムが読み出されＣＰＵ２１１での実行のために展開される主メモリ２１２、各種プログラムやデータ等が保存されたハードディスク装置２１３、ＦＤ１００が装填され、その装填されたＦＤ１００をアクセスするＦＤドライブ２１４、ＣＤ−ＲＯＭ１１０をアクセスするＣＤ−ＲＯＭドライブ２１５、図３のカラースキャナ１０と接続され、カラースキャナ１０から画像データを受け取る入力インタフェース２１６、図３のＣＴＰ３０やプルーファ５１，５２と接続され、ＣＴＰ３０やプルーファ５１，５２に画像データを送る出力インタフェース２１７が内蔵されており、これらの各種要素と、さらに図４にも示す画像表示装置２０２、キーボード２０３、およびマウス２０４は、バス２０５を介して相互に接続されている。
【００５５】
ここで、ワークステーション２０上にＲＩＰ装置２２を構築するＲＩＰプログラム、および色変換装置２３を構築する色変換プログラムが各ＣＤ−ＲＯＭに記憶されている。これらの各プログラムが記憶されたＣＤ−ＲＯＭ１１０Ａ，１１０Ｂ（図６参照）はＣＤ−ＲＯＭドライブ２１５に装填され、それらＣＤ−ＲＯＭ１１０Ａ，１１０Ｂに記憶されたＲＩＰプログラムおよび色変換プログラムがこのワークステーション２０にアップロードされてハードディスク装置２１３に記憶される。そして、それらＲＩＰプログラムおよび色変換プログラムが起動されて実行されることにより、ワークステーション２０内に、本発明の色変換システムの一実施形態を構成するＲＩＰ装置２２および色変換装置２３が構築される。
【００５６】
尚、上記では、ＲＩＰプログラムおよび色変換プログラムを記憶する記憶媒体としてＣＤ−ＲＯＭ１１０Ａ，１１０Ｂが例示されているが、ＲＩＰプログラムおよび色変換プログラムを記憶する記憶媒体はＣＤ−ＲＯＭに限られるものではなく、それ以外の光ディスク、ＭＯ、ＦＤ、磁気テープなどの記憶媒体であってもよい。また、ＲＩＰプログラムおよび色変換プログラムは、記憶媒体を介さずに、入力インタフェース２１６を介して直接にワークステーション２０に供給されるものであってもよい。
【００５７】
次に、ＲＩＰプログラムおよび色変換プログラムについて説明する。
【００５８】
図６は、ＲＩＰプログラムが記憶されたＣＤ−ＲＯＭ１１０Ａ、および色変換プログラムが記憶されたＣＤ−ＲＯＭ１１０Ｂを示す概念図である。
【００５９】
図６のパート（Ａ）に示すように、ＣＤ−ＲＯＭ１１０Ａに記憶されたＲＩＰプログラム３１０は、色空間判定部３１１、ＣＭＹＫラスタライズ部３１２、第１共通変換部３１３、共通ラスタライズ部３１４で構成されており、図６のパート（Ｂ）に示すように、ＣＤ−ＲＯＭ１１０Ｂに記憶された色変換プログラム３２０は、色空間分離部３２１、ターゲット変換部３２２、ターゲット出力部３２３、第１プルーフ変換部３２４、第２プルーフ変換部３２５、第２共通変換部３２６、純色保存部３２７、プルーフ出力部３２８で構成されている。
【００６０】
ＲＩＰプログラム３１０、および色変換プログラム３２０の各部の詳細については、ＲＩＰ装置２２、および色変換装置２３の作用と一緒に説明する。
【００６１】
図７は、ＲＩＰ装置２２、および色変換装置２３の機能ブロック図である。
【００６２】
ＲＩＰ装置２２は、色空間判定部４１１と、ＣＭＹＫラスタライズ部４１２と、第１共通変換部４１３と、共通ラスタライズ部４１４と、画像バッファ４１５とを有しており、色変換装置２３は、色空間分離部４２１と、ターゲット変換部４２２と、ターゲット出力部４２３と、第１プルーフ変換部４２４と、第２共通変換部４２５と、第２プルーフ変換部４２６と、純色保存部４２７と、プルーフ出力部４２８とを有している。
【００６３】
ＲＩＰ装置２２を構成する、色空間判定部４１１と、ＣＭＹＫラスタライズ部４１２と、第１共通変換部４１３と、共通ラスタライズ部４１４は、図６に示すＲＩＰプログラム３１０を構成する、色空間判定部３１１、ＣＭＹＫラスタライズ部３１２、第１共通変換部３１３、共通ラスタライズ部３１４にそれぞれ対応し、色変換装置２３を構成する、色空間分離部４２１と、ターゲット変換部４２２と、ターゲット出力部４２３と、第１プルーフ変換部４２４と、第２共通変換部４２５と、第２プルーフ変換部４２６と、純色保存部４２７と、プルーフ出力部４２８は、図６に示す色変換プログラム３２０を構成する、色空間分離部３２１、ターゲット変換部３２２、ターゲット出力部３２３、第１プルーフ変換部３２４、第２共通変換部３２６、第２プルーフ変換部３２５、純色保存部３２７、プルーフ出力部３２８にそれぞれ対応する。
【００６４】
図７の各要素は、コンピュータのハードウェアとそのコンピュータで実行されるＯＳやアプリケーションプログラムとの組合せで構成されているのに対し、図６に示すＲＩＰプログラム３１０および色変換プログラム３２０の各要素はそれらのうちのアプリケーションプログラムのみにより構成されている点が異なる。
【００６５】
ここで、図７に示すＲＩＰ装置２２および色変換装置２３には、図３に示すカラースキャナ１０の入力色空間（ＲＧＢ色空間）からデバイス非依存の共通色空間（Ｌ＊ａ＊ｂ＊色空間）への座標変換が定義された第１共通プロファイル４１３ａ、編集装置２１で使用される編集用プログラムに依存した入力色空間（ＣＭＹＫ色空間）からデバイス非依存の共通色空間（Ｌ＊ａ＊ｂ＊色空間）への座標変換が定義された第２共通プロファイル４２５ｂ、デバイス非依存の共通色空間（Ｌ＊ａ＊ｂ＊色空間）からターゲット色空間（ＣＭＹＫＯＧ色空間）への座標変換が定義されたターゲットプロファイル４２２ａ、共通色空間（Ｌ＊ａ＊ｂ＊色空間）から出力色空間（Ｃ´Ｍ´Ｙ´Ｋ´Ｏ´Ｇ´色空間）への座標変換が定義された第１プルーフプロファイル４２４ｂ、共通色空間（Ｌ＊ａ＊ｂ＊色空間）から出力色空間（Ｃ´Ｍ´Ｙ´Ｋ´色空間）への座標変換が定義された第２プルーフプロファイル４２６ａが予め用意されており、これら各種プロファイルのうち、第２共通プロファイル４２５ｂ、および第１プルーフプロファイル４２４ｂを除くプロファイルは、カラースキャナ１０や印刷機４０やプルーファ５１，５２を製造しているメーカ等から予め提供されることが多く、第２共通プロファイル４２５ｂ、および第１プルーフプロファイル４２４ｂは、メーカ等から提供される基本プロファイルに基づいて作成される。ここでは、各種プロファイルの基本的な作成方法について説明する。
【００６６】
図８は、ターゲットプロファイル４２２ａの概念図である。
【００６７】
ターゲットプロファイル４２２ａを生成する場合には、図３に示す編集装置２１において、ＣＭＹＫＯＧ６色の色データとして、Ｃ，Ｍ，Ｙ，Ｋ，Ｏ，Ｇそれぞれの値を順次変化させた色データを生成し、そのようにして発生させた色データに基づくカラーパッチ画像をＣＴＰ３０と印刷機４０とで構成されるターゲットデバイスを使って印刷する。さらに、印刷されたカラーパッチ画像を構成する各色パッチを測色計で測色し、Ｌ＊，ａ＊，ｂ＊値を取得して、Ｃ，Ｍ，Ｙ，Ｋ，Ｏ，Ｇ値と、まずは単純に対応付ける。
【００６８】
ここで、ターゲットプロファイル４２２ａでは、１つのＬ＊ａ＊ｂ＊色空間の色データに対して、１つのＣＭＹＫＯＧ色空間の色データが対応付けられる必要があるが、ＣＭＹＫＯＧ色空間の次元はＬ＊ａ＊ｂ＊色空間の次元よりも大きいため、この段階では、複数のＣ，Ｍ，Ｙ，Ｋ，Ｏ，Ｇ値に対して同じＬ＊，ａ＊，ｂ＊値が重複して取得されている。また、Ｌ＊ａ＊ｂ＊色空間全体では、ターゲットデバイスでは表現することができない色も含まれているため、この段階でＣ，Ｍ，Ｙ，Ｋ，Ｏ，Ｇ値と単純に対応付けられているＬ＊，ａ＊，ｂ＊値は、ターゲット変換部４２２に入力されると想定されるＬ＊，ａ＊，ｂ＊値を網羅しておらず、不足が生じている。
【００６９】
図９は、Ｌ＊ａ＊ｂ＊色空間におけるカラースキャナ１０の色再現領域、およびＣＴＰ３０と印刷機４０とで構成されるターゲットデバイスの色再現領域を示している。
【００７０】
本実施形態においては、印刷機４０でＣ，Ｍ，Ｙ，Ｋ４色の色材に加えてＯ，Ｇ２色の色材が使用されることによって、ターゲットデバイスの色再現領域５１０の拡大が図られているが、Ｒ，Ｇ，Ｂ３色の光で画像を表現するカラースキャナ１０の色再現領域５２０をカバーするには不十分である。したがって、上述した単純な対応付け段階においては、ターゲットデバイスの色再現領域５１０外のＬ＊，ａ＊，ｂ＊値は、Ｃ，Ｍ，Ｙ，Ｋ，Ｏ，Ｇ値と対応付けられておらず、カラースキャナ１０で生成された画像データがターゲットデバイスの色再現領域５１０内に含まれていない場合には、この段階で得られた対応関係を使ってもＣ，Ｍ，Ｙ，Ｋ，Ｏ，Ｇ値に変換することができない。このため、ターゲットデバイスの色再現領域５１０外のＬ＊ａ＊ｂ＊色空間の色データを、ＣＭＹＫＯＧ色空間の色データと対応付けて、ターゲット変換部４２２に入力されると想定されるＬ＊ａ＊ｂ＊色空間の色データを網羅させる必要がある。
【００７１】
色データを最低限度に網羅するのであれば、すでにＣ，Ｍ，Ｙ，Ｋ，Ｏ，Ｇ値と対応付けられているＬ＊，ａ＊，ｂ＊値はそのままで、ターゲットデバイスの色再現領域５１０外のＬ＊，ａ＊，ｂ＊値のみを新たにＣ，Ｍ，Ｙ，Ｋ，Ｏ，Ｇ値と対応付ければよいが、そのように色再現領域５１０外のＬ＊，ａ＊，ｂ＊値のみを単純にマッピングすると、色再現領域５１０の境界付近でトーンジャンプなどが生じてしまう。したがって、色再現領域５１０の境界付近のＬ＊，ａ＊，ｂ＊値も含めて全体的にマッピングを行い、さらに、同じＬ＊ａ＊ｂ＊色空間の色データに対して重複して対応付けられた複数のＣＭＹＫＯＧ色空間の色データのうちの１つを選択するなどして、抜けがなく網羅されたＬ＊ａ＊ｂ＊色空間の色データそれぞれに対して、１つのＣＭＹＫＯＧ色空間の色データを対応付けて、ターゲットプロファイル４２２ａを構築する。
【００７２】
続いて、第１プルーフプロファイル４２４ｂ、および第２プルーフプロファイル４２６ａの作成方法について説明する。
【００７３】
図１０は、第１プルーフプロファイル４２４ｂ、および第２プルーフプロファイル４２６ａの概念図である。
【００７４】
第１プルーフプロファイル４２４ｂは、Ｌ＊ａ＊ｂ＊色空間上の色データをターゲットデバイスの色再現領域５１０内の色データにマッピングするためのマッピングプロファイルと、Ｌ＊ａ＊ｂ＊色空間の色データをＣ´Ｍ´Ｙ´Ｋ´Ｏ´Ｇ´色空間の色データに変換するための基本プルーフプロファイルとが連結されたものである。
【００７５】
マッピングプロファイルを生成するときには、まず、図３に示す編集装置２１で、Ｌ＊ａ＊ｂ＊色空間の色データとして、Ｌ＊，ａ＊，ｂ＊それぞれの値を順次変化させた色データを生成させる。続いて、図８に示すターゲットプロファイル４２２ａに従って、編集装置２１で生成されたＬ＊ａ＊ｂ＊色空間の色データをＣＭＹＫＯＧ色空間の色データに変換させて、変換後のＣＭＹＫＯＧ色空間の色データに基づくカラーパッチ画像を、ＣＴＰ３０と印刷機４０とで構成されるターゲットデバイスを使って印刷させる。さらに、印刷されたカラーパッチ画像を構成する各色パッチを測色計で測色して、編集装置２１で生成された色データのＬ＊，ａ＊，ｂ＊値と、測定計で測色されたＬ＊，ａ＊，ｂ＊値とを対応付けることによって、マッピングプロファイルが構築される。
【００７６】
また、基本プルーフプロファイルを新たに生成する場合には、ターゲットプロファイル４２２ａを生成する場合と同様に、図３に示す編集装置２１から、Ｃ´Ｍ´Ｙ´Ｋ´Ｏ´Ｇ´それぞれの値を順次変化させた色データを生成し、そのようにして発生させた色データに基づくカラーパッチ画像をプルーファ５１，５２を使ってプリント出力する。続いて、プリント出力されたカラーパッチ画像を構成する各色パッチを測色計で測色してＬ＊，ａ＊，ｂ＊値を取得し、Ｃ´，Ｍ´，Ｙ´，Ｋ´，Ｏ´，Ｇ´値と、まずは単純に対応付ける。本実施形態においては、ターゲットデバイスで出力される画像の色を再現するためのマッピング処理が、基本プルーフプロファイルではなくマッピングプロファイルを使って行われるため、この基本プルーフプロファイルでは、Ｌ＊，ａ＊，ｂ＊値が、その値が表現する色を忠実に出力するためのＣ´，Ｍ´，Ｙ´，Ｋ´，Ｏ´，Ｇ´値に変換されることが求められる。したがって、上述したターゲットプロファイル４２２ａを生成する場合のようなマッピング処理は行われず、同じＬ＊，ａ＊，ｂ＊値が重複して取得されたＣ´Ｍ´Ｙ´Ｋ´Ｏ´Ｇ´色空間の色データの選択などが行われた後、Ｌ＊ａ＊ｂ＊色空間上の色データに対して１つのＣ´Ｍ´Ｙ´Ｋ´Ｏ´Ｇ´色空間の色データが対応付けられて、基本プルーフプロファイルが構築される。
【００７７】
以上のようにして作成された、Ｌ＊ａ＊ｂ＊色空間の色データをＬ＊ａ＊ｂ＊色空間の色データに変換するマッピングプロファイルと、Ｌ＊ａ＊ｂ＊色空間の色データをＣ´Ｍ´Ｙ´Ｋ´Ｏ´Ｇ´色空間の色データに変換する基本共通プロファイルとが連結されることによって、図１０のパート（Ａ）に示す第１プルーフプロファイル４２４ｂが構築される。この第１プルーフプロファイル４２４ｂは、Ｌ＊ａ＊ｂ＊色空間の色データを、図９に示すターゲットデバイスの色再現領域５１０内にマッピングするとともに、その色データの色空間をＬ＊ａ＊ｂ＊色空間からＣ´Ｍ´Ｙ´Ｋ´Ｏ´Ｇ´色空間に変換するためのものである。第１プルーフプロファイル４２４ｂを予め構築しておくことによって、Ｌ＊ａ＊ｂ＊色空間の色データを、ターゲットデバイスの色再現領域５１０内に含まれるＣ´Ｍ´Ｙ´Ｋ´Ｏ´Ｇ´色空間の色データに直接変換することができ、ターゲットデバイスで出力される印刷画像の色を精度良く再現することができる。
【００７８】
また、例えば、１色を３３階調の色濃度で表現する場合、Ｃ，Ｍ，Ｙ，Ｋ４色の印刷機が利用される図１のパート（Ｂ）に示す第２の画像出力システム２では、色変換装置１１４０で利用されるＣＭＹＫ／Ｌ＊ａ＊ｂ＊プロファイルのデータサイズは、３３４×４＝約４．７ＭＢ程度である。しかし、印刷機での色再現領域を広げるために、Ｃ，Ｍ，Ｙ，Ｋ４色のインクに加えてＯ，Ｇ色のインクも使用する場合、図２のＣＭＹＫＯＧ／Ｌ＊ａ＊ｂ＊変換部１１４１で利用されるＣＭＹＫＯＧ／Ｌ＊ａ＊ｂ＊プロファイルのデータサイズは、３３６×３＝約３．９ＧＢにもなり、ＣＭＹＫＯＧ／Ｌ＊ａ＊ｂ＊変換部１１４１とＬ＊ａ＊ｂ＊Ｋ／Ｃ´Ｍ´Ｙ´Ｋ´Ｏ´Ｇ´変換部１１４３とで利用されるプロファイルを連結したＣＭＹＫＯＧ／Ｃ´Ｍ´Ｙ´Ｋ´Ｏ´Ｇ´プロファイルのデータサイズは、３３６×６＝約７．７ＧＢにもなってしまう。本実施形態で利用される第１プルーフプロファイル４２４ｂのデータサイズは、３３３×６＝約０．２ＭＢであり、大幅にデータサイズが抑えられている。このため、本実施形態では、１色を表現する色濃度の階調数を減少させる必要がなく、高精度に印刷画像の色を再現することができるうえ、第１プルーフプロファイル４２４ｂを予めメモリに記憶しておくことができ、高速な色変換処理を実行することができる。
【００７９】
また、図１０のパート（Ｂ）には、第２プルーフプロファイル４２６ａの概念図が示されている。第２プルーフプロファイル４２６ａは、図３に示す編集装置２１で生成される色データがＣ´Ｍ´Ｙ´Ｋ´それぞれの値を順次変化させた色データであること以外は、第１プルーフプロファイル４２４ｂに先駆けて作成された基本プルーフプロファイルと同様の手順で作成される。
【００８０】
続いて、第１共通プロファイル４１３ａ、および第２共通プロファイル４２５ｂの作成方法について説明する。
【００８１】
図１１は、第１共通プロファイル４１３ａ、および第２共通プロファイル４２５ｂの概念図である。
【００８２】
図１１のパート（Ａ）には、第１共通プロファイル４１３ａの概念図が示されている。
【００８３】
第１共通プロファイル４１３ａを生成するときには、多数の色パッチからなるカラーパッチ画像を用意し、そのカラーパッチ画像を図３に示すカラースキャナ１０で読み取って、各色パッチごとのＲＧＢ色空間上の色データを得るとともに、そのカラーパッチ画像を測色計で測色して、各色パッチについて、Ｌ＊ａ＊ｂ＊色空間上の座標を表わす色データを得る。これらＲＧＢ色空間上の色データと、Ｌ＊ａ＊ｂ＊色空間上の色データとを対応付けることによって第１共通プロファイル４１３ａが得られる。
【００８４】
図１１のパート（Ｂ）には、第２共通プロファイル４２５ｂの概念図が示されている。
【００８５】
第２共通プロファイル４２５ｂは、ＣＭＹＫ色空間の色データをＬ＊ａ＊ｂ＊色空間上の色データに変換するための基本共通プロファイルと、図１０のパート（Ａ）に示す第１プルーフプロファイル４２４ｂの作成時にも用いられたマッピングプロファイルとが連結されたものである。
【００８６】
従来より、印刷機でＣ，Ｍ，Ｙ，Ｋ色材を使って印刷される画像のイメージをつかみやすいように、画像をＣ，Ｍ，Ｙ，Ｋ色を使って編集する編集用ソフトウェアが広く知られている。ＣＭＹＫ色空間上の色データと、その色データが所定の式に基づいて変換されたＬ＊ａ＊ｂ＊色空間上の色データとが対応付けられて基本共通プロファイルが作成され、編集用ソフトウェアとともに基本共通プロファイルが提供される。
【００８７】
以上のようにして作成された、ＣＭＹＫ色空間の色データをＬ＊ａ＊ｂ＊色空間の色データに変換する基本共通プロファイルと、Ｌ＊ａ＊ｂ＊色空間の色データをＬ＊ａ＊ｂ＊色空間の色データに変換するマッピングプロファイルとが連結されることによって、図１１のパート（Ｂ）に示す第２共通プロファイル４２５ｂが構築される。この第２共通プロファイル４２５ｂは、ＣＭＹＫ色空間の色データを、図９に示すターゲットデバイスの色再現領域５１０内にマッピングするとともに、その色データの色空間をＣＭＹＫ色空間からＬ＊ａ＊ｂ＊色空間に変換するためのものである。予め基本共通プロファイルとマッピングプロファイルとを連結しておくことによって、高速に色変換処理を実行することができる。
【００８８】
本実施形態のＲＩＰ装置２２および色変換装置２３では、以上のように作成された、あるいはメーカから提供された各種プロファイルが予め用意され、それらのプロファイルを使って色変換処理が実行される。
【００８９】
図１２は、プルーフ画像と印刷画像とが作成される一連の処理の流れを示すフローチャート図である。
【００９０】
以下では、この図１２に従って、図７のＲＩＰ装置２２および色変換装置２３を構成する各種要素と、それら各種要素で実行される処理について詳しく説明する。
【００９１】
図３の編集装置２１を使ってオペレータが印刷物を編集すると、編集した印刷物のページを表わすページ画像データが生成される。生成されたページ画像データは、図７に示すＲＩＰ装置２２の色空間判定部４１１で取得される（図１２のステップＳ１０１）。色空間判定部４１１は、本発明にいう画像取得部の一例に相当する。
【００９２】
上述したように、ページ画像データは、ページが部品の集合で表現されたものであり、様々な入力色空間の部品データが混在している。
【００９３】
色空間判定部４１１は、ページ画像データのうちＲＧＢ色空間の部品データを第１共通変換部４１３に伝え、Ｌ＊ａ＊ｂ＊色空間の部品データを共通ラスタライズ部４１４に伝え（図１２のステップＳ１０２：Ｎｏ）、ＣＭＹＫ色空間の部品データをＣＭＹＫラスタライズ部４１２に伝える（図１２のステップＳ１０２：Ｙｅｓ）。
【００９４】
第１共通変換部４１３は、図１１のパート（Ａ）に示す第１共通プロファイル４１３ａを使って、ＲＧＢ色空間の部品データをＬ＊ａ＊ｂ＊色空間の部品データに変換する（図１２のステップＳ１０４）。変換後のＬ＊ａ＊ｂ＊色空間の部品データは、共通ラスタライズ部４１４に伝えられる。
【００９５】
共通ラスタライズ部４１４は、色空間判定部４１１から伝えられたＬ＊ａ＊ｂ＊色空間の部品データ、および第１共通変換部４１３でＲＧＢ色空間の部品データが変換されたＬ＊ａ＊ｂ＊色空間の部品データにラスタライズ化処理を施す（図１２のステップＳ１０５）。ラスタライズ化処理が施されたＬ＊ａ＊ｂ＊色空間のラスタ部品データは、画像バッファ４１５に一旦保存される（図１２のステップＳ１０６）。
【００９６】
また、ＣＭＹＫラスタライズ部４１２は、色空間判定部４１１から伝えられたＣＭＹＫ色空間の部品データにラスタライズ化処理を施す（図１２のステップＳ１０３）。ラスタライズ化されたＣＭＹＫ色空間のラスタ部品データも、画像バッファ４１５に一旦保存される（図１２のステップＳ１０６）。ＣＭＹＫ色空間は、本発明にいう第１種の色空間の一例にあたり、ＣＭＹＫ色空間の部品データは、本発明にいう第１種データの一例にあたり、Ｌ＊ａ＊ｂ＊色空間やＲＧＢ色空間の部品データは、本発明にいう第２種データの一例に相当する。第１共通変換部４１３、共通ラスタライズ部４１４、およびＣＭＹＫラスタライズ部４１２を合わせたものは、本発明にいうデータ形式変換部の一例に相当する。
【００９７】
本実施形態のＲＩＰ装置２２では、ＲＧＢ色空間、およびＬ＊ａ＊ｂ＊色空間の部品データはＬ＊ａ＊ｂ＊色空間の部品データに揃えられた後でラスタライズ化処理が施されるが、ＣＭＹＫ色空間の部品データは、Ｌ＊ａ＊ｂ＊色空間の部品データに変換されずに、ＣＭＹＫ色空間の部品データのままでラスタライズ化処理が施される。このように、ラスタライズ化されたＣＭＹＫ色空間のラスタ部品データが後段の色変換装置２３に送られることによって、Ｋ版保存処理や純色保存処理で必要なＣ，Ｍ，Ｙ，Ｋ成分が色変換装置２３に確実に伝えられ、所望の色を有する画像を高精度に再現することができる。
【００９８】
画像バッファ４１５では、ＣＭＹＫラスタライズ部４１２から伝えられたＣＭＹＫ色空間のラスタ部品データと、共通ラスタライズ部４１４から伝えられたＬ＊ａ＊ｂ＊色空間のラスタ部品データとが保存され、それらが１つにまとめられて、ＣＭＹＫ−Ｌ＊ａ＊ｂ＊形式のラスタ部品データとして色変換装置２３に伝えられる。
【００９９】
ＲＩＰ装置２２から伝えられたＣＭＹＫ−Ｌ＊ａ＊ｂ＊形式のラスタ部品データは、色変換装置２３の色空間分離部４２１で取得される。色空間分離部４２１は、ＲＩＰ装置２２から一緒にセットで送られてきたＣＭＹＫ−Ｌ＊ａ＊ｂ＊形式のラスタ部品データを、ＣＭＹＫ色空間のラスタ部品データとＬ＊ａ＊ｂ＊色空間のラスタ部品データに分離する。
【０１００】
ここで、通常は、実際の印刷が行われる前に、プルーファ５１，５２において事前確認用のプルーフ画像５１ａ，５２ａが作成される。オペレータがワークステーション２０のキーボードやマウスを操作して、プルーフ画像の生成を指示した場合には（図１２のステップＳ１０７：Ｙｅｓ）、色空間分離部４２１は、ＲＩＰ装置２２から送られてきたＣＭＹＫ−Ｌ＊ａ＊ｂ＊形式のラスタ部品データのうちＬ＊ａ＊ｂ＊色空間のラスタ部品データを第１プルーフ変換部４２４に伝え（図１２のステップＳ１０８：Ｙｅｓ）、ＣＭＹＫ色空間のラスタ部品データを第２共通変換部４２５に伝え、ＣＭＹＫ色空間のラスタ部品データのＫ成分を第２プルーフ変換部４２６に伝え、ＣＭＹＫ色空間のラスタ部品データのＣＭＹ成分を純色保存部４２７に伝える（図１２のステップＳ１０８：Ｎｏ）。
【０１０１】
第１プルーフ変換部４２４は、色空間分離部４２１からＬ＊ａ＊ｂ＊色空間のラスタ部品データが伝えられると、図１０のパート（Ａ）に示す第１プルーフプロファイル４２４ｂを使って、Ｌ＊ａ＊ｂ＊色空間のラスタ部品データを、図１０に示すターゲットデバイスの色再現領域５１０内にマッピングし（図１２のステップＳ１０９）、Ｃ´Ｍ´Ｙ´Ｋ´Ｏ´Ｇ´色空間のプルーフ部品データに変換する（図１２のステップＳ１１０）。尚、本実施形態においては、第１プルーフプロファイル４２４ｂによって、これらステップＳ１０９およびステップＳ１１０の処理が同時に行われる。変換後のプルーフ部品データは、プルーフ出力部４２８に伝えられる。
【０１０２】
また、第２共通変換部４２５は、図１１のパート（Ｂ）に示す第２共通プロファイル４２５ｂを使って、色空間分離部４２１から伝えられたＣＭＹＫ色空間のラスタ部品データを、Ｌ＊ａ＊ｂ＊色空間のラスタ部品データに変換し（図１２のステップＳ１１１）、図１０に示すターゲットデバイスの色再現領域５１０内にマッピングする（図１２のステップＳ１１２）。尚、これらステップＳ１１１およびステップＳ１１２においても、第２共通プロファイル４２５ｂによって同時に行われる。変換後のＬ＊ａ＊ｂ＊色空間のラスタ部品データは、第２プルーフ変換部４２６に伝えられる。
【０１０３】
第２プルーフ変換部４２６には、第２共通変換部４２５からＬ＊ａ＊ｂ＊色空間のラスタ部品データが伝えられるとともに、色空間分離部４２１からＣＭＹＫ色空間のラスタ部品データのＫ成分が伝えられる。第２プルーフ変換部４２６は、図１０のパート（Ｂ）に示す第２プルーフプロファイル４２６ａを使って、Ｌ＊ａ＊ｂ＊色空間のラスタ部品データをＣ´Ｍ´Ｙ´Ｋ´色空間のプルーフ部品データに変換するとともに（図１２のステップＳ１１３）、変換後のプルーフ部品データのＫ成分を、色空間分離部４２１から伝えられたＣＭＹＫ色空間のラスタ部品データのＫ成分に置き換える（Ｋ版保存処理）。この結果、印刷画像においてＫ版で出力される色がプルーフ画像においても確実にＫ色で出力される。Ｋ版保存処理が施されたプルーフ部品データは、純色保存部４２７に伝えられる。
【０１０４】
純色保存部４２７には、第２プルーフ変換部４２６からＫ版保存処理が施されたプルーフ部品データが伝えられるとともに、色空間分離部４２１からＣＭＹＫ色空間のラスタ部品データのＣＭＹ成分が伝えられる。純色保存部４２７は、第２プルーフ変換部４２６から伝えられたＣ´Ｍ´Ｙ´Ｋ´色空間のプルーフ部品データの色成分のうち、色空間分離部４２１から伝えられたＣ，Ｍ，Ｙ成分が純色（各色が最大データ値）である色成分を純色（最大データ値）に置き換える（図１２のステップＳ１１４）。純色保存処理が施されたプルーフ部品データは、プルーフ出力部４２８に伝えられる。Ｃ´Ｍ´Ｙ´Ｋ´Ｏ´Ｇ´色空間は、本発明にいう出力色空間の一例にあたり、ターゲット変換部４２２および第１プルーフ変換部４２４は、本発明にいう色変換部の一例にあたり、第２共通変換部４２５と第２プルーフ変換部４２６と純色保存部４２７とを合わせたものも、本発明にいう色変換部の一例に相当する。
【０１０５】
本実施形態では、ラスタライズ化処理が施された後の部品データに対して各種色変換処理が実行されるため、印刷画像の色を高精度に再現することができる。
【０１０６】
プルーフ出力部４２８は、第１プルーフ変換部４２４、および純色保存部４２７それぞれから伝えられたＣ´Ｍ´Ｙ´Ｋ´Ｏ´Ｇ´色空間のプルーフ部品データを合成し、それらプルーフ部品データが表わす部品で構成されたページを表わすプルーフ画像データを生成する。生成されたプルーフ画像データは、図３の階調プルーファ５２や、プルーファ用網掛装置２５に向けて出力される（図１２のステップＳ１１５）。
【０１０７】
階調プルーファ５２では、プルーフ画像データに基づいて、色濃度が色材の濃さそのもので表現されたプルーフ画像５２ａが出力される。また、プルーファ用網掛装置２５では、プルーフ画像データに網掛処理が施され、網掛後のプルーフ画像データが網点プルーファ５１に送られる。網点プルーファ５１では、色濃度が網点で表現されたプルーフ画像５１ａが生成される。
【０１０８】
本実施形態の色変換装置２３では、図２に示す画像出力システム２で実行されるような、入力色空間の画像データをターゲットデバイス用のＣＭＹＫＯＧ色空間の画像データに変換してからマッピング処理を行う過程を経ずに、入力色空間の画像データがＣ´Ｍ´Ｙ´Ｋ´Ｏ´Ｇ´色空間の画像データに変換される際に直接マッピング処理が行われるため、変換回数を軽減して処理時間を向上させることができるとともに、変換の際に含まれる誤差による色再現精度の劣化を抑えることができる。また、本実施形態では、ターゲット色空間（本実施形態では、ＣＭＹＫＯＧ色空間）の画像データを共通色空間（本実施形態では、Ｌ＊ａ＊ｂ＊色空間）の画像データに変換するための、６次元×３次元の膨大なデータサイズのプロファイルが不要であり、印刷機で多色の色材が使用されているが、再現精度を劣化させずにプルーフ画像を生成することができる。
【０１０９】
オペレータがプルーフ画像５１ａ，５２ａの色やレイアウトを確認し、ワークステーション２０のキーボードやマウスを操作して印刷を指示すると、印刷が開始される（図１２のステップＳ１０７：Ｎｏ）。
【０１１０】
まず、画像バッファ４１５に保存されたＣＭＹＫ色空間のラスタ部品データとＬ＊ａ＊ｂ＊色空間のラスタ部品データとが色変換装置２３に送られる。
【０１１１】
プルーフ画像の作成時にラスタライズ化処理が施された後のラスタ部品データが色空間分離部４２１に伝えられることによって、何度も同じ処理を実行する手間を省き、処理時間を向上させることができる。
【０１１２】
色空間分離部４２１では、ＲＩＰ装置２２から送られてきたＣＭＹＫ色空間、およびＬ＊ａ＊ｂ＊色空間のラスタ部品データが分別され、ＣＭＹＫ色空間のラスタ部品データがターゲット出力部４２３に伝えられるとともに（図１２のステップＳ１１６：Ｎｏ）、Ｌ＊ａ＊ｂ＊色空間のラスタ部品データがターゲット変換部４２２に伝えられる（図１２のステップＳ１１６：Ｙｅｓ）。
【０１１３】
ターゲット変換部４２２は、図８に示すターゲットプロファイル４２２ａを使って、色空間分離部４２１から伝えられたＬ＊ａ＊ｂ＊色空間のラスタ部品データをＣＭＹＫＯＧ色空間のラスタ部品データに変換し、変換後のＣＭＹＫＯＧ色空間のラスタ部品データをターゲット出力部４２３に伝える（図１２のステップＳ１１７）。
【０１１４】
ターゲット出力部４２３は、色空間分離部４２１から伝えられたＣＭＹＫ色空間のラスタ部品データと、ターゲット変換部４２２から伝えられたＣＭＹＫＯＧ色空間のラスタ部品データとを合成し、それらラスタ部品データが表わす部品で構成されたページを表わす印刷画像データを生成する。生成された印刷画像データは、図３に示す印刷用網掛装置２４に送られて網掛処理が施された後、ＣＴＰ３０に送られる（図１２のステップＳ１１８）。ＣＴＰ３０では、印刷画像データに基づいてＣ，Ｍ，Ｙ，Ｋ，Ｏ，Ｇ６色の印刷用フィルム版が生成され、それら印刷用フィルム版が印刷機４０に装着されて、印刷機４０において印刷画像４０ａが作成される。
【０１１５】
以上のように、本実施形態のＲＩＰ装置２２および色変換装置２３によると、多色の印刷機で印刷される印刷画像も高精度に再現することができる。
【０１１６】
以上で、本発明の第１実施形態の説明を終了し、本発明の第２実施形態について説明する。本発明の第２実施形態は、ＲＩＰ装置から色変換装置にＣＭＹＫ色空間のラスタ部品データが送られる代わりに、ＣＭＹＫ色空間のラスタ部品データのＣ，Ｍ，Ｙ，Ｋ成分を表わすプロセス情報が送られる点が第１実施形態とは異なる。以下では、第１実施形態と同じ要素については同じ符号を付して説明を省略し、第１実施形態との相違点についてのみ説明する。
【０１１７】
図１３は、本発明の第２実施形態におけるＲＩＰプログラムが記憶されたＣＤ−ＲＯＭ１１０Ａ´、および色変換プログラムが記憶されたＣＤ−ＲＯＭ１１０Ｂ´を示す概念図である。
【０１１８】
本実施形態のＲＩＰプログラム３１０´は、図６に示す第１実施形態のＲＩＰプログラム３１０とほぼ同様の構成を有しているが、ＲＩＰプログラム３１０´には、プロセス情報生成部３１５、および第２共通変換部３２６が備えられている。
【０１１９】
また、本実施形態の色変換プログラム３２０´も、図６に示す第１実施形態の色変換プログラム３２０とほぼ同様の構成を有しているが、色変換プログラム３２０´には、図６に示す色空間分離部３２１、および第２共通変換部３２６が備えられておらず、図６に示す純色保存部３２７に代えて、第１純色保存部３２７１、および第２純色保存部３２７２が備えられている。
【０１２０】
図１４は、第２実施形態におけるＲＩＰ装置２２´、および色変換装置２３´の機能ブロック図である。
【０１２１】
ＲＩＰ装置２２´は、図７に示す第１実施形態のＲＩＰ装置２２の各種要素に加えて、画像バッファ４１５に保存されたＣＭＹＫ色空間のラスタ部品データに基づいてプロセス情報を生成するプロセス情報生成部４１６、図７に示す色変換装置２３に備えられていた第２共通変換部４２５が備えられている。尚、この第２共通変換部４２５には、図１１のパート（Ｂ）に示す、ターゲットデバイスの色再現領域５１０へのマッピング機能を有する第２共通プロファイル４２５ｂに代えて、第２共通プロファイル４２５ｂの構築に先駆けて生成あるいは提供される、マッピング機能を有していない基本共通プロファイル４２５ａが備えられている。
【０１２２】
また、色変換装置２３´には、図７に示す第１実施形態の色変換装置２３に備えられている第２共通変換部４２５、第２プルーフ変換部４２６が備えられておらず、図７の純色保存部４２７に代えて、第１純色保存部４２７１、および第２純色保存部４２７２が備えられている。
【０１２３】
図１５は、図１４に示すＲＩＰ装置２２´および色変換装置２３´でプルーフ画像と印刷画像とが作成される一連の処理の流れを示すフローチャート図である。
【０１２４】
図１２に示す第１実施形態と同様に、オペレータによって編集されたページ画像データが図１５に示すＲＩＰ装置２２の色空間判定部４１１で取得される（図１５のステップＳ２０１）。ページ画像データのうちのＲＧＢ色空間の部品データは、第１共通変換部４１３においてＬ＊ａ＊ｂ＊色空間の部品データに変換され（図１５のステップＳ２０２：Ｎｏ、ステップＳ２０４）、変換後のＬ＊ａ＊ｂ＊色空間の部品データとページ画像データのうちのＬ＊ａ＊ｂ＊色空間の部品データは、共通ラスタライズ部４１４に伝えられ、ページ画像データのうちのＣＭＹＫ色空間の部品データは、ＣＭＹＫラスタライズ部４１２に伝えられる（図１５のステップＳ２０２：Ｙｅｓ）。
【０１２５】
共通ラスタライズ部４１４では、色空間判定部４１１および第１共通変換部４１３から伝えられたＬ＊ａ＊ｂ＊色空間の部品データにラスタライズ化処理が施され（図１５のステップＳ２０５）。ラスタライズ化処理が施されたＬ＊ａ＊ｂ＊色空間のラスタ部品データが画像バッファ４１５に保存される（図１５のステップＳ２０６）。
【０１２６】
また、ＣＭＹＫラスタライズ部４１２では、色空間判定部４１１から伝えられたＣＭＹＫ色空間の部品データにラスタライズ化処理が施され（図１５のステップＳ２０３）、ラスタライズ化されたＣＭＹＫ色空間のラスタ部品データも、画像バッファ４１５に保存される（図１５のステップＳ２０６）。
【０１２７】
画像バッファ４１５にＬ＊ａ＊ｂ＊色空間、およびＣＭＹＫ色空間のラスタ部品データが保存されると、それらのラスタ部品データが１つにまとめられて、ＣＭＹＫ−Ｌ＊ａ＊ｂ＊形式のラスタ部品データとしてプロセス情報生成部４１６に伝えられる。
【０１２８】
プロセス情報生成部４１６では、ＣＭＹＫ−Ｌ＊ａ＊ｂ＊形式のラスタ部品データに基づいて、プロセス情報が生成される（図１５のステップＳ２０７）。このプロセス情報は、そのラスタ部品データが表わす色がプロセス色であるか否かを示す第１のフラグ、Ｃ色を純色とするか否かを示す第２のフラグ、Ｍ色を純色とするか否かを示す第３のフラグ、およびＹ色を純色とするか否かを示す第４のフラグで構成されており、各画素について、これら第１のフラグから第４のフラグまでの計４ビットの情報が生成される。
【０１２９】
表１は、プロセス情報を構成する各種フラグと、各フラグを判定する判定方法とを示している。
【０１３０】
【表１】
0004732957.tif 000002
【０１３１】
本実施形態においては、プロセス情報生成部４１６において、以下のようにして各種フラグの値が設定される。
【０１３２】
まず、第１のフラグから第４のフラグまでの各値が「０」に初期化される。
【０１３３】
続いて、ＣＭＹＫ−Ｌ＊ａ＊ｂ＊形式のラスタ部品データのＬ＊，ａ＊，ｂ＊各色成分が取得され、それらＬ＊，ａ＊，ｂ＊全ての色成分が「０」であった場合は、そのラスタ部品データが表わす色がプロセス色であると判定され、第１のフラグの値が「１」に設定される。
【０１３４】
また、ＣＭＹＫ−Ｌ＊ａ＊ｂ＊形式のラスタ部品データのＬ＊，ａ＊，ｂ＊全ての色成分が「０」であり、かつＣ成分が「０（最小値）」または「１００（最大値）」である場合は、Ｃ色は純色であると判定され、第２のフラグの値が「１」に設定される。
【０１３５】
以下、同様に、ＣＭＹＫ−Ｌ＊ａ＊ｂ＊形式のラスタ部品データのＬ＊，ａ＊，ｂ＊全ての色成分が「０」であり、かつＭ成分が「０」または「１００」である場合は、第３のフラグの値が「１」に設定され、Ｙ成分が「０」または「１００」である場合は、第４のフラグの値が「１」に設定される。
【０１３６】
以上のようにして生成されたプロセス情報は、色変換装置２３´の第１プルーフ変換部４２４、第１純色保存部４２７１、および第２純色保存部４２７２に伝えられる。
【０１３７】
また、画像バッファ４１５に保存されたＣＭＹＫ色空間のラスタ部品データは、第２共通変換部４２５に伝えられる。第２共通変換部４２５では、ＣＭＹＫ色空間の色データをＬ＊ａ＊ｂ＊色空間の色データに変換する基本共通プロファイル４２５ａを使って、ＣＭＹＫ色空間のラスタ部品データがＬ＊ａ＊ｂ＊色空間のラスタ部品データに変換される（図１５のステップＳ２０８）。変換後のＬ＊ａ＊ｂ＊色空間のラスタ部品データは、画像バッファ４１５に保存されたＬ＊ａ＊ｂ＊色空間のラスタ部品データとともに色変換装置２３´に送られ、画像バッファ４１５に保存されたＣＭＹＫ色空間のラスタ部品データのＫ成分も色変換装置２３´に送られる。
【０１３８】
プルーフ画像が生成される場合は（図１５のステップＳ２０９：Ｙｅｓ）、Ｌ＊ａ＊ｂ＊色空間のラスタ部品データ、およびＣＭＹＫ色空間のラスタ部品データのＫ成分が第１プルーフ変換部４２４に伝えられる。
【０１３９】
第１プルーフ変換部４２４では、図１０のパート（Ａ）に示す第１プルーフプロファイル４２４ｂを使って、Ｌ＊ａ＊ｂ＊色空間のラスタ部品データが、図１０に示すターゲットデバイスの色再現領域５１０内にマッピングされた（図１５のステップＳ２１０）、Ｃ´Ｍ´Ｙ´Ｋ´Ｏ´Ｇ´色空間のプルーフ部品データに変換される（図１５のステップＳ２１１）。さらに、変換後のプルーフ部品データのＫ成分が、ＲＩＰ装置２２´から伝えられたＣＭＹＫ色空間のラスタ部品データのＫ成分に置き換えられる（Ｋ版保存処理）。Ｋ版保存処理後のＣ´Ｍ´Ｙ´Ｋ´Ｏ´Ｇ´色空間のプルーフ部品データは、第２純色保存部４２７２に伝えられる。
【０１４０】
第２純色保存部４２７２では、第１プルーフ変換部４２４から伝えられたＣ´Ｍ´Ｙ´Ｋ´Ｏ´Ｇ´色空間のプルーフ部品データのうち、ＲＩＰ装置２２´から送られてきたプロセス情報において第１のフラグが「１」であるプルーフ部品データの、第２のフラグ、第３のフラグ、および第４のフラグのうち「１」であるフラグに対応する色が純色に置き換えられる（図１５のステップＳ２１２）。例えば、（第１のフラグ，第２のフラグ，第３のフラグ，該４のフラグ）＝（１，１，０，０）といったプロセス情報が取得された場合には、プロセス情報中の第２のフラグ「１」に対応する「シアン」が純色であると判定され、プルーフ部品データ中のシアンのデータ値が「０」に近い値である場合には「０」に置き換えられ、「１００」に近い値である場合には「１００」に置き換えられる。純色保存処理が施されたプルーフ部品データは、プルーフ出力部４２８に伝えられる。
【０１４１】
プルーフ出力部４２８では、純色保存処理が施されたプルーフ部品データが合成されてプルーフ画像データが生成され、プルーフ画像データが図３の階調プルーファ５２やプルーファ用網掛装置２５に向けて出力されて（図１５のステップＳ２１３）、プルーフ画像５１ａ，５２ａが作成される。
【０１４２】
また、印刷が行われる場合には（図１５のステップＳ２０９：Ｎｏ）、ＲＩＰ装置２２´から送られてきたＬ＊ａ＊ｂ＊色空間のラスタ部品データがターゲット変換部４２２で取得され、プロセス情報とＫ色成分が第１純色保存部４２７１に伝えられる。
【０１４３】
ターゲット変換部４２２では、図８に示すターゲットプロファイル４２２ａを使って、Ｌ＊ａ＊ｂ＊色空間のラスタ部品データがＣＭＹＫＯＧ色空間のラスタ部品データに変換され、変換後のＣＭＹＫＯＧ色空間のラスタ部品データが第１純色保存部４２７１に伝えられる（図１５のステップＳ２１４）。
【０１４４】
第１純色保存部４２７１では、ステップＳ２１２と同様にして、ＣＭＹＫＯＧ色空間のラスタ部品データに対してＫ版保存処理と純色保存処理とが施される（図１５のステップＳ２１５）。Ｋ版保存処理および純色保存処理が施されたＣＭＹＫＯＧ色空間のラスタ部品データは、ターゲット出力部４２３に伝えられる。
【０１４５】
ターゲット出力部４２３では、伝えられたＣＭＹＫＯＧ色空間のラスタ部品データが合成されてターゲット画像データが生成され、生成されたターゲット画像データが、図３に示す印刷用網掛装置２４に送られた後、ＣＴＰ３０に送られる（図１５のステップＳ２１６）。ＣＴＰ３０では、印刷画像データに基づいてＣ，Ｍ，Ｙ，Ｋ，Ｏ，Ｇ６色の印刷用フィルム版が生成され、それら印刷用フィルム版が印刷機４０に装着されて、印刷機４０において印刷画像４０ａが作成される。
【０１４６】
このように、予めプロセス情報を生成しておくことによって、ＣＭＹＫ色空間のラスタ部品データもＬ＊ａ＊ｂ＊色空間のラスタ部品データに変換してから色変換装置２３´でまとめて処理を行うことができ、所望の色を有する画像を効率よく取得することができる。また、本実施形態においては、ＲＩＰ装置２２と色変換装置２３とが同じワークステーション２０上に構築されているが、ＲＩＰ装置および色変換装置は別々のパーソナルコンピュータ上などに構築されることも多い。ＲＩＰ装置と色変換装置とが別々のマシン上に構築され、それらがネットワークで接続された画像出力システムにおいては、ＲＩＰ装置から色変換装置に、ＣＭＹＫ色空間の画像データに代えてプロセス情報が送信されることによって、通信データ量を軽減させて、処理速度を向上させることができる。
【０１４７】
ここで、上記では、出力デバイスとしてプルーファを適用する例について説明したが、本発明にいう出力デバイスは、電子写真方式やインクジェット方式のカラープリンタや、印刷機であっても良く、あるいは表示画面上に画像を表示するＣＲＴディスプレイ装置、プラズマディスプレイ装置などといった画像表示装置であってもよい。
【０１４８】
また、上記では、出力色空間としてＣ´Ｍ´Ｙ´Ｋ´Ｏ´Ｇ´色空間が適用され、共通色空間としてＬ＊ａ＊ｂ＊色空間が適用され、ターゲット色空間としてＣＭＹＫＯＧ色空間が適用される例について説明したが、本発明にいう出力色空間、共通色空間、およびターゲット色空間はこれらの色空間に限らず、例えば、出力色空間としてＲＧＢ色空間が適用され、共通色空間としてＬｕｖ色空間が適用され、ターゲット色空間としてＣＭＹＫ色空間などが適用されてもよい。
【０１４９】
また、上記では、１つの色変換装置内で、印刷用画像データとプルーフ用画像データとを生成する例について説明したが、これらの各データは別々の装置で生成されてもよい。
【図面の簡単な説明】
【０１５０】
【図１】画像出力システムの一例を示す図である。
【図２】図１のパート（Ｂ）に示す画像出力システムを使って多色の色変換処理を行う一連の処理を説明するための図である。
【図３】本発明の一実施形態が組み込まれた画像出力システムの全体構成図である。
【図４】ワークステーションの外観斜視である。
【図５】ワークステーションのハードウェア構成図である。
【図６】ＲＩＰプログラム、および色変換プログラムが記憶されたＣＤ−ＲＯＭを示す概念図である。
【図７】ＲＩＰ装置、および色変換装置の機能ブロック図である。
【図８】ターゲットプロファイルの概念図である。
【図９】Ｌ＊ａ＊ｂ＊空間におけるカラースキャナ０の色再現領域、およびターゲットデバイスの色再現領域を示す図である。
【図１０】第１プルーフプロファイル、および第２プルーフプロファイルの概念図である。
【図１１】第１共通プロファイル、および第２共通プロファイルの概念図である。
【図１２】プルーフ画像と印刷画像とが作成される一連の処理の流れを示すフローチャート図である。
【図１３】第２実施形態におけるＲＩＰプログラム、および色変換プログラムが記憶されたＣＤ−ＲＯＭを示す概念図である。
【図１４】第２実施形態におけるＲＩＰ装置、および色変換装置の機能ブロック図である。
【図１５】第２実施形態において、プルーフ画像と印刷画像とが作成される一連の処理の流れを示すフローチャート図である。
【符号の説明】
【０１５１】
１０    カラースキャナ
２０    ワークステーション
２１    編集装置
２２    ＲＩＰ装置
２３    色変換装置
２４    印刷用網掛装置
２５    プルーファ用網掛装置
３０    ＣＴＰ
４０    印刷機
４０ａ    印刷画像
５１    網点プルーファ
５１ａ    プルーフ画像
５２    階調プルーファ
５２ａ    プルーフ画像
２０１    本体装置
２０１ａ    ＦＤ装填口
２０１ｂ    ＣＤ−ＲＯＭ装填口
２０２ａ    表示画面
２０２    画像表示装置
２０３    キーボード
２０４    マウス
２０５    バス
２１１    ＣＰＵ
２１２    主メモリ
２１３    ハードディスク装置
２１４    ＦＤドライブ
２１５    ＣＤ−ＲＯＭドライブ
２１６    入力インタフェース
２１７    出力インタフェース
３０    カラープリンタ
１００    ＦＤ
１１０，１１０Ａ，１１０Ｂ    ＣＤ−ＲＯＭ
３１０    ＲＩＰプログラム
３１１    色空間判定部
３１２    ＣＭＹＫラスタライズ部
３１３    第１共通変換部
３１４    共通ラスタライズ部
３１５    プロセス情報生成部
３２０    色変換プログラム
３２１    色空間分離部
３２２    ターゲット変換部
３２３    ターゲット出力部
３２４    第１プルーフ変換部
３２５    第２プルーフ変換部
３２６    第２共通変換部
３２７    純色保存部
３２７１    第１純色保存部
３２７２    第３純色保存部
３２８    プルーフ出力部
４１１    色空間判定部
４１２    ＣＭＹＫラスタライズ部
４１３    第１共通変換部
４１４    共通ラスタライズ部
４１５    画像バッファ
４１６    プロセス情報生成部
４２１    色空間分離部
４２２    ターゲット変換部
４２３    ターゲット出力部
４２４    第１プルーフ変換部
４２５    第２共通変換部
４２６    第２プルーフ変換部
４２７    純色保存部
４２７１    第１純色保存部
４２７２    第２純色保存部
４２８    プルーフ出力部
【図１】
0004732957.tif 000003
【図２】
0004732957.tif 000004
【図３】
0004732957.tif 000005
【図４】
0004732957.tif 000006
【図５】
0004732957.tif 000007
【図６】
0004732957.tif 000008
【図７】
0004732957.tif 000009
【図８】
0004732957.tif 000010
【図９】
0004732957.tif 000011
【図１０】
0004732957.tif 000012
【図１１】
0004732957.tif 000013
【図１２】
0004732957.tif 000014
【図１３】
0004732957.tif 000015
【図１４】
0004732957.tif 000016
【図１５】
0004732957.tif 000017